(57)【要約】【解決手段】本発明は、心理学の分野に関し、特に、精神状態及び依存状態に関する問題の解決並びに問題のある社会的行動の矯正のための遠隔的精神援助の提供方法に関する。精神状態及び依存に関する問題行動を解決するための患者の精神状態の精神診断を含む遠隔的精神援助の提供方法であって、長距離通信手段は、精神診断及び精神矯正の間に使用され、患者の精神的問題の精神診断及び精神矯正は、精神分析医と接することなく実行され、患者自身による自律訓練課程を受けるために求められるアイテム一式は、患者に関する精神診断データに基づき選択され、前記アイテム一式は、自律訓練の教科書と、感覚刺激とそれらに使用するための道具と、使用説明書とを含み、患者による自律訓練を実施するために必要なアイテムの前記一式は、患者に遠隔的に提供され、患者は、前記自律訓練を実施することを対象としたアイテムを使用して、患者自身により前記自律訓練を実施する。患者の精神状態の精神診断は、匿名で実行される。自律訓練課程は、少なくとも一週間において少なくとも十分間、朝と夜の一日二回行われる。【特許請求の範囲】
【請求項１】
精神状態及び依存に関する問題行動を解決するための患者の精神状態の精神診断を含む遠隔的精神援助の提供方法であって、
長距離通信手段は、精神診断及び精神矯正の間に使用され、
患者の精神的問題の精神診断及び精神矯正は、精神分析医と接することなく実行され、
患者自身による自律訓練課程を受けるために求められるアイテム一式は、患者に関する精神診断データに基づき選択され、
前記アイテム一式は、自律訓練の教科書と、感覚刺激とそれらに使用するための道具と、使用説明書とを含み、
患者による自律訓練を実施するために必要なアイテムの前記一式は、患者に遠隔的に提供され、
患者は、前記自律訓練を実施することを対象としたアイテムを使用して、患者自身により前記自律訓練を実施する、
遠隔的精神援助の提供方法。
【請求項２】
患者の精神状態の精神診断は、匿名で実行される、
請求項１に記載の遠隔的精神援助の提供方法。
【請求項３】
自律訓練課程は、少なくとも一週間において少なくとも十分間、朝と夜の一日二回行われる、
請求項１に記載の遠隔的精神援助の提供方法。
【請求項４】
アイテムの前記一式は、宅配サービス又はメールにより患者に送られる、
請求項１に記載の遠隔的精神援助の提供方法。
【発明の詳細な説明】
【技術分野】
【０００１】
本発明は、心理学に関し、特に、精神状態及び依存状態に関する問題を解決し、問題となる社会的行動を矯正するための遠隔的な精神援助（psychological aid）の提供方法に関する。
【背景技術】
【０００２】
精神分析医の患者の半数以上は、専門医との最初のミーティングの前にストレスを経験することが知られ、精神援助の提供において、精神分析医と患者との直接的な接触が、しばしば、新たな依存状態の形の発生に導くことも知られる。更に、遠隔地に住み、適する精神援助を受ける機会を持たない患者への精神的奉仕の提供の問題も存在する。提案される遠隔的な精神援助の提供方法は、これらの問題を解決するため、すなわち、遠隔地に居住するが適する精神援助を必要とする患者や、そのような遠隔的又はたとえ匿名でも援助を受けたい患者に役立つために提供される。
【０００３】
常習的行動のその場の治療方法（２００５年に公開されたＡ６１Ｍ２１／００に属するロシア国特許２２５２０３８号公報の発明の詳細な説明を参照されたい。）は、音声によって作用し、視聴覚機器上で悲観的な写真の連続的映像を投影することにより不愉快でグロテスクに強調された嫌がらせの瞬間での患者の集中を使って否定的感情形成に係る態度を抱かせ、肯定的な写真を示して患者に肯定的感情を形成する精神治療のための暗示的な影響を患者に提供し、患者の錯乱感情状態や医者による患者の常習的行動態度の程度の定常的な遠隔制御下で、精神治療のための患者に暗示的な影響は、患者の視聴覚機器のチャネルを通じて提供され、最初の精神生理学的な特性、オメガポテンシャル（omega-potential）の変動、不安の程度、安静時で否定的感情の存在において、当を得た質問への感情的反応が最初に記録され、精神生理学的反応の状態と減少する不安に従って制御された錯乱感情状態を改善する間、健康的な生活スタイルの優勢と、依存状態を捨て去るためのプラグラムが、肯定的感情の存在で患者に形成され、順応可能な自己実現戦略の開発を伴う行動の既成概念の矯正を実行し、過去に形成された優勢と依存状態を捨て去るプログラムを活性化するために、視聴覚機器の常設スクリーンセイバーとして、患者自身が、意欲を起こさせるビデオ映像（画像）を選択し、言葉による影響は、声域であり、左右チャネルにとって３０から３ヘルツの調整可能な周波数差でのバイノーラル音響振動を伴うステレオ音響モードで実行される。
【０００４】
最も近似するもの又は見本として選択される類似の技術解決法が知られ（２００８年に公開されたＡ６１Ｍ２１／００に属するロシア国特許２３１９５１７号公報の発明の詳細な説明を参照されたい。）、この技術解決法は、患者の精神生理学的反応の登録と、依存状態の被験者から拒否に関する態度を含む音声及び映像情報だけでなく、常習的行動からの拒否に関係する人の存在の中で患者の常習的行動に対するその場の矯正のための遠隔的個別プログラムの選択と、患者の状況を利用可能とし、患者の離脱行動に備えた活動計画を実行する当事者を事前に訓練することを含み、離脱行動の場合、これらの人々は、心理学的サービスの運営者に電話を掛けるために携帯電話を使用し、治療の開始段階で、最初に、その場の矯正プログラムの音声情報を転送することが開始され、その後、その場の矯正プログラムの映像情報を開始することが続き、それから、患者の常習的行動の程度の変化があり次第、その場のプログラムの修正が、患者自身又は関係者の要求で実行される。
【先行技術文献】
【特許文献】
【０００５】
【特許文献１】ロシア国特許２２５２０３８号公報
【特許文献２】ロシア国特許２３１９５１７号公報
【発明の概要】
【発明が解決しようとする課題】
【０００６】
公知方法のデメリットは、精神診断が、医者と患者との直接的接触で行われる事実を含み、そのため、最初のストレス発生の状況が未だ存在する。治療プロセスは、更に遠隔的に実行されるが、新たな依存状態の発生をもたらし得る担当医との直接的接触における定常的な監視を伴う。公知方法は、匿名規範を適用する可能性を提供しない。
【課題を解決するための手段】
【０００７】
公知方法とは対照的に、遠隔的な精神援助を提供する提案の方法は、精神診断及び精神矯正を提供する間、匿名規範を適用することにより、患者と専門家との直接的接触を除外した、適格な精神援助を提供することを目的とする。
【０００８】
前述のいずれの方法によって達成不可能な技術的効果は、精神状態及び依存状態の場合に、精神援助の提供方法を単純化することである。
【０００９】
公知の類似方法の特性及び分析に基づき、より単純な遠隔的精神援助の提供方法を作ることが、現在重要であることが結論付けられる。
【００１０】
遠隔的な精神援助は、精神状態及び依存状態に関する行動の問題を解決するため、患者の精神状態の精神診断を含み、長距離通信手段は、精神診断及び精神矯正の間に使用され、患者の精神問題の精神診断及び精神矯正は、精神分析医と接触することなく実行され、患者自身による自律訓練課程を受けるために求められるアイテム一式（item kit）は、精神診断データに基づき患者のために個別に選択され、前記アイテム一式は、自律訓練の教科書、感覚刺激、及びそれらを使用するための道具（tool）、使用説明書を含み、患者自身により自律訓練を実施するために必要なアイテム一式は、患者に遠隔的に提供され、患者は、自身が自律訓練の実施を対象としたアイテムを使用することにより、自律訓練を実施する事実により、その技術的効果が達成される。患者の精神状態の精神診断は、匿名で実行される。自律訓練課程は、少なくとも一週間において、少なくとも十分間、朝と晩に一日二度行われる。
【００１１】
提案される、遠隔的精神援助の提供方法は、下記のように実行される。患者は、例えば、電話、インターネット、メール等のような長距離通信手段を用いて心理学施設（psychological center）に登録され、ここでは匿名の登録が可能である。その後、患者は、精神診断に使用するテストを遠隔的に実行する。患者は、自身でテストの質問に答える。精神診断の結果を受け取った後、精神分析医は、自律訓練課程を開発し、自律訓練課程の実施に必要なアイテムを選択する。選択されたアイテム一式及びアイテムの使用説明書は、例えば、配達サービスによって患者に送られる。患者は、使用説明書を理解することに困難を有する場合、例えば、携帯電話又はメールにより、例えば、長距離通信手段の使用説明を受け取ることができる。
【００１２】
感覚刺激やそれらの選択方法は、例えば、ロシア国特許２３１５６３３号公報
やロシア国特許２１７８２０４号公報から知られる。感覚刺激を有する一式は、２６３２７７２号公報に記述される。アイテム選択の本質は同じである。
【００１３】
自律訓練課程のための個別精神診断の結果に基づくアイテム一式の選択は、例えば、以下のように実行される。
【００１４】
精神状態及び依存状態の矯正の過程において、精神分析医は、人の認知感覚系統の個別特性を見極めるために患者を遠隔的に検査し、それにより、患者の感覚優先（sensory preference）を判定し、すなわち、七つの情報認知感覚チャネルを通じて心地よい印象を想起する。患者の検査に基づき、感覚刺激の数と心地よい印象を最大限に想起するそれらの状況が、決められる。
【発明を実施するための形態】
【００１５】
例えば、以下のアイテム一式が提案され得る。
【００１６】
エッセンシャルオイルと、例えばアロマランプのようなそれらを使用する機器の一式。特に、エッセンシャルオイルは、遠隔的精神診断の間、患者によって選択され、室内で持続的な芳香を作るために使用される。この道具は、情報認知の嗅覚的感覚チャネルを通じて心地よい感情を作る。
【００１７】
自律訓練の教科書及び教科書聞き取り用オーディオプレイヤー。教科書は、患者自身の声によりオーディオプレイヤーを使って録音され、それから、例えば毎日聞く。それは、情報認知の聴覚的感覚チャネルを通じて態度を変え、心地よい印象を作ることに向けられる。
【００１８】
態度を変えるために選択される暗示的方式を含む画像は、重要な暗示的方式の言語的表現を含み、精神診断に基づき決められた設計に従い作られる画像である。患者は、精神診断の間、色とテキスト書体だけでなく、患者が最も心地よい特定の画像を患者自身によって選ぶ。その暗示的方式は、新たな態度を形成する一以上の言語的表現である。この道具は、自律訓練プロセスへの情報認知の視覚的感覚チャネルを含む。
【００１９】
運動感覚の興奮の方式を含む画像。それは、精神診断に基づき決められた設計に従い作成され、運動感覚の興奮、検査中にまた決められた個性を対象とする一以上の言語的表現を含む。患者は、精神診断の間、色とテキスト書体だけでなく、患者が最も心地よい特定の画像を患者自身によって選ぶ。それは、情報認知の運動感覚チャネルを通じて心地よい印象を作る。それは、自律訓練プロセスへの情報認知の運動感覚チャネルを含む。
【００２０】
理由を付した認知の方式を含む画像。それは、精神診断に基づき決められた設計に従い作られる。患者は、精神診断の間、患者自身によって検査中に形成される変異から、設計と特定の画像を選択する。それは、検査に基づき形成され、心地よい論理的思考の結論に関する自律訓練の間、患者の注意に着目する言語的表現に基づく。それは、情報認知に関する論理的思考の感覚チャネルを通じて心地よい印象を作る。それは、自律訓練プロセスへの情報認知に関する論理的思考の感覚チャネルを含む。
【００２１】
強烈な味を有する食品添加物。それは、患者にとって心地よい食品添加物であり、例えば、長期の心地よい味覚効果をもたらすキャンディーなどである。それは、精神診断の間に決められる。それは、検査中に形成される変異から患者によって選択される。それは、自律訓練の教科書を聞く間、患者によって使用される。それは、味覚感覚チャネルを通じて心地よい印象を作る。
【００２２】
種々の触感を提供する鉱物（mineral）。それらは、種々の形状の鉱物である。それらは、精神診断の間、検査で形成された変異から患者によって選択される。それらは、自律訓練の教科書を聞く間、患者の手元で保持される。それらは、情報認知の触覚チャネルを通じて心地よい印象を作る。
【００２３】
アイテムの使用説明書は、個別の自律訓練の間、アイテム一式の全体の利用規則（order of application）を説明する文章である。
【００２４】
提案される遠隔的精神援助の提供方法の技術本質は、以下を含む。
【００２５】
−  患者と精神分析医との間で、メール、電話、又はインターネットを介した長距離通信チャネルを作ること。
【００２６】
−  検査を使用する、患者の精神状態の精神診断を実行すること。
【００２７】
−  患者による自律訓練を実施するためのプログラムを作ること。
【００２８】
−  望ましくない依存状態若しくは精神状態、又は社会的行動に関する理由で起こる態度を変えることに向けられた自律訓練の個別の教科書を起草すること。
【００２９】
−  患者により自律訓練を実施するために必要なアイテムの一式を選択すること。
【００３０】
−  患者の場所に、自律訓練を実施するために必要なアイテムの一式を送ること。
【００３１】
−  毎朝及び毎晩の少なくとも十分間を少なくとも一週間、自律訓練を実施することを対象としたアイテムの併用と一緒に、自律訓練の教科書を患者が繰り返し聞き取ることを提供すること。
【００３２】
−  潜在意識レベルで、常習的行動を止めることに関する態度を強化すること。
【００３３】
−  精神依存及び状態を有する患者への精神リハビリテーションと社会的行動の矯正のプロセスを提供すること。
【００３４】
遠隔的精神援助の提供方法は、実際には、以下のように実行される。
【００３５】
−  例えば、電話、メール、又はインターネットを使用して、心理学施設に申請した患者と精神分析医との間の長距離通信チャネルを作ること。
【００３６】
−  患者の精神状態と、例えば、アルコール依存症に関する患者の問題行動の原因の精神診断を実行すること。
【００３７】
−  患者に対する好影響（音、匂い、印象（image）など）のリストを判定すること。
【００３８】
−  患者による自律訓練を実施するための、患者による実行（performance）に関して記述される特定の行動の順序を含むプログラムを開発し、患者の状態及び依存の精神矯正を提供すること。
【００３９】
−  患者による問題行動を止めることに向けられる自律訓練に関する個別の教科書を起草すること。
【００４０】
−  患者による自律訓練を実施するために必要なアイテムの一式を選択すること。すなわち、自律訓練の教科書、全ての認知感覚チャネルを通じた心地よい古典的条件付けに関する刺激、及びそれらを使用するための道具、使用説明書。
【００４１】
−  必要なアイテムの一式と使用説明書を患者の場所へ送ること。
【００４２】
−  毎朝及び毎晩の例えば十分間を、例えば二ヶ月間、自律訓練を実施することを対象としたアイテムの併用と一緒に、自律訓練の教科書を患者が繰り返し聞き取ることを施すこと（administering）。
【００４３】
−  潜在意識レベルで、望ましくない依存又は精神状態のために起こる行動を止めることに関する態度を強化すること。
【実施例】
【００４４】
提案される遠隔的精神援助の提供方法の実施は、続く実施例によって説明される。
【００４５】
［実施例１  依存の精神矯正］
ニコチン依存を持つ３５歳の男性は、支援を求めた禁煙を望む。その男性は、心理学施設のインターネットサイトに登録した。その後、男性は、精神診断部門に遠隔的にアクセスし、七つの検査からの質問に回答した。男性の回答に基づき、男性の認知感覚系統の状態に関する情報が得られ、問題行動に基礎を形成する態度が判定され、感覚優先が特定された。受け取られた情報は、ニコチン依存症から解放された行動の形成を目的とした十分な感覚（full-sensory）の古典条件付けを含む自律訓練課程の開発に使用された。‘十分な感覚精神リハビリテーションのためのアイテム一式’と名づけられたパッケージは、自律訓練を実施するための説明書、自己暗示に関する教科書、心地よい古典条件付けのための五つの感覚刺激、及びそれらを使用するための道具を含む。
【００４６】
感覚刺激は、
−  味覚興奮チャネルに関し、ミント風味を持つキャンディーである風味付けされた食品添加物、
−  匂い興奮チャネルに関し、一のモミ（fir）エッセンシャルオイル及びそれを使用するための芳香メダル、
−  触覚興奮チャネルに関し、翡翠ビーズ、
−  音感覚興奮チャネルに関し、ボイスレコーダー及び自律訓練の教科書、
−  視覚認知興奮チャネルに関し、暗示的方式を含む特定の設計を有する机、
を含む。
【００４７】
アイテムは、患者に最も心地よい印象を想起したままで、検査の間、数個の提案された選択肢から患者によって選択される。
【００４８】
パッケージは、速達サービスによって患者に送られた。患者は、アイテムを使用する発注を明確にするために一度電話した。患者との更なる接触は起こらなかった。不満や否定的な報告は、サイト上で受信されなかった。
【００４９】
［実施例２  状態の精神矯正］
支援を求めた２９歳の女性。支援を求めた理由は、家族での攻撃的行動であり、夫との衝突である。サイトで登録し遠隔的精神診断を通過し次第、女性の精神状態の地図が作成され、攻撃的行動の根底にある不安の原因が判定され、そして精神矯正課程が開発される。これに基づき、遠隔的精神援助のためのアイテム一式が作られ、患者に送られる。数回の電話は、患者から更に受け取られ、患者は、自律訓練課程に関する追加的推薦を求めた。三ヶ月後、患者は、サイトで肯定的な評価を残した。
【００５０】
［実施例３  社会的行動の精神矯正］
地方新聞での精神サービスの提供に関する予告の公表で、５８歳の女性から、学校に行きたがらない彼女の孫に関する精神援助を求める手紙が受け取られた。彼女の孫に関する精神診断の検査は、女性の住所に手紙で送られ、それらが精神分析医によって受け取られた後、学ぶための情熱を伴う新たなタイプの行動形成を目的とする精神矯正プログラムが開発された。十分な感覚の精神リハビリテーションのためのアイテム一式を含むパッケージは、その村に送られた。孫は、彼の祖母の管理下で自律訓練課程を利用し、その女性によれば、孫は、学校で授業をさぼることを止めた。
【００５１】
提案された、遠隔的精神援助の提供方法は、患者個々の自律訓練課程を準備し、精神分析医なしで患者自身によって自律訓練課程を実施し、それにより、精神状態や依存状態の精神矯正及び社会的行動の矯正に関して、より安全、より便利で、技術的複雑性の少ない方法の創出を可能とする。
【００５２】
精神カウンセリングの既存の実務への遠隔で匿名の方法の紹介は、ストレスのために精神分析医や心理療法士との接触を現在避ける人々のカテゴリーへ専門的な精神援助を提供し、遠隔地に住み、精神援助を受ける機会のない患者へのサービスを提供することを助けるであろう。
【国際調査報告】
2020510889.tif 000002
2020510889.tif 000003